(57)【要約】【課題】組立が容易で、短小化でき、高水圧でも水洩れしないようにすると共に、切削加工に要する素材を節減でき、製作を簡単化したホース接続口金を提供する。【解決手段】ホース止めの割りリング１８を嵌入できるようにした円周溝１３１を後端に設けた、たけのこ状ホース差込部１１と、つぎてナット１４を遊嵌するための円筒部１３と、つぎてナット１４の内凸起に当接して抜け止めするためのフランジ部１７と、フランジ部１７に当接して水洩れ防止のためのパッキン１６と、円筒部１３に遊嵌できるようにした、つぎてナット１４と、ホース差込部１１の円周溝１３１に嵌入できるようにしたホース止めのための割りリング１８とを備え、つぎてナット１４を、フランジ部１７と割りリング１８との間で、円筒部１３上を遊嵌できるようにすると共に、たけのこ状ホース差込部１１に、ホース３０が割りリング１８に受け止められる迄、差し込めるようにしたもの。【選択図】    図１
2004360743.tif 000002
【特許請求の範囲】
【請求項１】
ホース止めと、つぎてナット１４の抜け止めのための割りリング１８を嵌入できるようにした円周溝１３１を後端に設けた、たけのこ状ホース差込部１１と、ホース差込部１１に連設した、つぎてナット１４を遊嵌するための円筒部１３と、円筒部１３に連設して、つぎてナット１４の内凸起に当接して抜け止めするためのフランジ部１７と、フランジ部１７に当接して水洩れ防止するためのパッキン１６と、円筒部１３に遊嵌できるようにした、つぎてナット１４と、ホース差込部１１の円周溝１３１に嵌入できるようにしたホースの前進を止めるための割りリング１８とを備え、つぎてナット１４を、フランジ部１７と割りリング１８との間で、円筒部１３上を遊嵌できるようにすると共に、たけのこ状ホース差込部１１に、ホース３０が割りリング１８に受け止められる迄、差し込めるようにしたことを特徴とするホース接続口金。
【請求項２】
ホース止めのための割りリング１８Ｂを嵌入できるようにした円周溝１９１Ｂを後端に設けた、たけのこ状ホース差込部１１Ｂと、ホース差込部１１Ｂに連設したベンド状に曲折した曲げ部１９Ｂと、曲げ部１９Ｂに連設した、つぎてナット１４Ｂを遊嵌するための円筒部１３Ｂであって、後端につぎてナット１４Ｂの抜け止めのための割りリング２０Ｂを嵌入できるようにした円周溝１３１Ｂを設けると共に、円筒部１３Ｂの先端に連設するつぎてナット１４Ｂの内凸起に当接して抜け止めするためのフランジ部１７Ｂと、フランジ部１７Ｂに当接して水洩れ防止するためのパッキン１６Ｂと、円筒部１３Ｂに遊嵌できるようにした、つぎてナット１４Ｂと、ホース差込部１１Ｂの円周溝１９１Ｂに嵌入できるようにしたホースの前進を止めるための割りリング１８Ｂと、円筒部１３Ｂの円周溝１３１Ｂに嵌入できるようにした、つぎてナット１４Ｂの抜け止めのための割りリング２０Ｂとを備え、つぎてナット１４Ｂをフランジ部１７Ｂと割りリング２０Ｂとの間で、円筒部１３Ｂ上を遊嵌できるようにすると共に、たけのこ状ホース差込部１１Ｂに、ホース３０が割りリング１８Ｂに受け止められる迄、差し込めるようにしたことを特徴とするホース接続口金。
【発明の詳細な説明】
【０００１】
【発明の属する技術分野】
本発明は、主として、バス給湯追焚配管、及び、湯沸かし器、ボイラー、洗面台等の給水配管に使用されるホース接続口金に関する。
【０００２】
【従来の技術】
従来、この種のホース接続口金は、図４に示すように、たけのこ状のホース差込部１１Ｃと、その後端のフランジ状のホース止受部１２Ｃと、ホース止受部１２Ｃに続く、つぎてナット１４Ｃを遊嵌するための円筒部１３Ｃとが一体成形され、円筒部１３Ｃの前端の円周溝１３１Ｃに、つぎてナット１４Ｃ抜け止めのためのリング１５Ｃを嵌入していたが、リング１５Ｃを円周溝１３１Ｃに嵌入する際、円周溝１３１Ｃが円筒部１３Ｃの前端にあるので、つぎてナット１４Ｃを円周溝１３１Ｃから後退させねばならないが、つぎてナット１４Ｃの後退により、つぎてナット１４Ｃの前面が邪魔になってリング１５Ｃがはめにくくならないようにするため、円筒部１３Ｃを長くする必要がある欠点があった。
また、給水配管に接続する際は、ナット内径にほぼ等しい外径のパッキン１６Ｃより円筒部１３Ｃの外径が小さいので、水圧が高いとパッキン１６Ｃの外周縁部が逃げて、つぎてナット１４Ｃ内から水漏れしやすくなる、また、断面円形のリング１５Ｃでは、つぎてナット１４Ｃの内凸起１４１Ｃとの接触が不充分になるため、給水配管との接続が完全にならない恐れがあるなどの欠点があった。
そこで、本発明者は、従来の欠点を解決すると共に、製造コスト及び組立コストの軽減を図るため、ホース差込部の後端のホース止受けのための大きなフランジの切削加工をやめて浅い円周溝の切削加工だけにとどめると共に、円筒部前端に小径のフランジを切削加工し、たけのこ状のホース差込部と、それに連設するつぎてナットを遊嵌するための円筒部と、円筒部の先端のフランジ部とを切削加工して一体成形し、ホース差込部の後端の円周溝にホース止受け及びつぎてナットの抜け止めのための割りリングを嵌入することにより、円筒部前端の従来のつぎてナット抜け止めのためのリングをなくして、円筒部の長さを短くできるようにすると共に、ナット内径にほぼ等しい外径のパッキンとフランジ外径とを一致させて、水圧が高くても水漏れしないように、また、つぎてナットの内凸起がフランジ部に安定接触できるように形成して、給水配管との接続を確実にし、本発明を完成した。
【０００３】
【発明が解決しようとする課題】
本発明は、組立が容易で、短小化でき、高水圧でも水洩れしないホース接続口金を提供するものである。
また、本発明は、切削加工に要する素材を節減でき、製作を簡単化したホース接続口金を提供するものである。
【０００４】
【課題を解決するための手段】
本発明のホースカバー付ホース接続口金は、上記課題を達成するため、図１に示すように、ホース止めと、つぎてナット１４の抜け止めのための割りリング１８を嵌入できるようにした円周溝１３１を後端に設けた、たけのこ状ホース差込部１１と、ホース差込部１１に連設した、つぎてナット１４を遊嵌するための円筒部１３と、円筒部１３に連設して、つぎてナット１４の内凸起に当接して抜け止めするためのフランジ部１７と、フランジ部１７に当接して水洩れ防止のためのパッキン１６と、円筒部１３に遊嵌できるようにした、つぎてナット１４と、ホース差込部１１の円周溝１３１に嵌入できるようにしたホースの前進を止めるための割りリング１８とを備え、つぎてナット１４を、フランジ部１７と割りリング１８との間で、円筒部１３上を遊嵌できるようにすると共に、たけのこ状ホース差込部１１に、ホース３０が割りリング１８に受け止められる迄、差し込めるようにしたものである。
また、本発明のホースカバー付ホース接続口金は、上記課題を達成するため、図２に示すように、ホース止めのための割りリング１８Ｂを嵌入できるようにした円周溝１９１Ｂを後端に設けた、たけのこ状ホース差込部１１Ｂと、ホース差込部１１Ｂに連設したベンド状に曲折した曲げ部１９Ｂと、曲げ部１９Ｂに連設した、つぎてナット１４Ｂを遊嵌するための円筒部１３Ｂであって、後端につぎてナット１４Ｂの抜け止めのための割りリング２０Ｂを嵌入できるようにした円周溝１３１Ｂを設けると共に、円筒部１３Ｂの先端にに連設するつぎてナット１４Ｂの内凸起に当接して抜け止めするためのフランジ部１７Ｂと、フランジ部１７Ｂに当接して水洩れ防止するためのパッキン１６Ｂと、円筒部１３Ｂに遊嵌できるようにした、つぎてナット１４Ｂと、ホース差込部１１Ｂの円周溝１９１Ｂに嵌入できるようにしたホースの前進を止めるための割りリング１８Ｂと、円筒部１３Ｂの円周溝１３１Ｂに嵌入できるようにした、つぎてナット１４Ｂの抜け止めのための割りリング２０Ｂとを備え、つぎてナット１４Ｂをフランジ部１７Ｂと割りリング２０Ｂとの間で、円筒部１３Ｂ上を遊嵌できるようにすると共に、たけのこ状ホース差込部１１Ｂに、ホース３０が割りリング１８Ｂに受け止められる迄、差し込めるようにしたものである。
本発明において、たけのこ状ホース差込部１１又は１１Ｂは、後端から先端方向へ向かって複数個のテーパを連ねた形状に形成されて、ホース３０の脱落を防ぐと共に、内部に通水孔を設けている公知のものである。
また、本発明において、ホース受け止め用の割りリング１８又は１８Ｂ、または、つぎてナットの抜け止めの割りリング２０Ｂは、図３に示すように、ばね材製で、リングの１ケ所が切断され、ホース差込部又は円筒部に設けた円周溝にばね作用で嵌着できるもので、割りリング１８、１８Ｂ、２０Ｂ及び円周溝の断面形状は同一のものでよい。
【０００５】
【発明の実施の形態１】
本発明の実施の形態１が、図１に示されている。
本発明実施例のホース接続口金は、たけのこ状ホース差込部１１と、円筒部１３と、フランジ部１７と、ホース受け止めのための割りリング１８と、パッキン１６と、つぎてナット１４とを備えている。
たけのこ状ホース差込部１１は、円筒外周面にホース３０を差込む複数個のテーパを形成し、内部に通水孔１１０が設けられている。
円筒部１３は、たけのこ状ホース差込部１１の後端に連設され、内部に通水孔１３０が設けられて、ホース差込部１１の通水孔１１０に連通し、外周に後述のつぎてナット１４を遊嵌している。
フランジ部１７は、円筒部１３の前端につぎてナット内径に等しい丸座金状に立設されている。
ホース受け止めのための割りリング１８は、ホース差込部１１の後端部に設けた円周状の角溝１３１に嵌入され、ホース差し込み時にホースの受け止めができるように形成され、また、後述のつぎてナット１４の後退止めとなる。
つぎてナット１４は、外面が６角形で、内周に給水配管に螺合できる管用ねじ切りされ、円筒部１３に遊嵌できると共に、内周の後端にフランジ部１７に係止できる円周状突起１４１が形成されている。
ホース３０を給水配管に接続する時は、ホース先端３０１が割りリング１８に当接するまで差し込み、次いで、ホース３０の上からバンド（図示しない）締めし、つぎてナット１４の内突起１４１をフランジ部１７に当接させ、パッキン１６を介して給水配管に螺合すれば、フランジ部１７と給水配管の接続が強固にでき、フランジ部１７とパッキン１６の外径が一致しているので水洩れが完全に防止できる。
【０００６】
【発明の実施の形態２】
本発明の実施の形態２が、図２に示されている。
本発明実施例のホース接続口金は、たけのこ状ホース差込部１１Ｂと、曲げ部１９Ｂと、円筒部１３Ｂと、フランジ部１７Ｂと、ホース受け止めのための割りリング１８Ｂと、つぎてナット抜け止めのための割りリング２０Ｂと、パッキン１６Ｂと、つぎてナット１４Ｂとを備えている。
たけのこ状ホース差込部１１Ｂ、フランジ部１７Ｂ、円筒部１３Ｂ、パッキン１６Ｂ、つぎてナット１４Ｂの構成は、本発明の実施の形態１と同じであるので、詳細説明は省略する。
ベンド状に曲折した曲げ部１９Ｂは、たけのこ状ホース差込部１１Ｂの後端に連設されると共に、それに直角方向に連設する円筒部１３Ｂが一体成形され、内部に曲折した通水孔１９０Ｂが設けられて、円筒部１３Ｂの通水孔１３０Ｂとホース差込部１１Ｂの通水孔１１０Ｂにそれぞれ連通している。
ホース受け止めのための割りリング１８Ｂは、ホース差込部１１Ｂの後端部に設けた円周状の角溝１９１Ｂに嵌入され、ホース差し込み時にホースの受け止めができるように形成されている。
つぎてナット抜け止めのための割りリング２０Ｂは、円筒部１３Ｂの後端に設けた円周状の角溝１３１Ｂに嵌入され、給水配管に接続しない時は、つぎてナット１４Ｂの後退止めとなる。
また、本発明実施例にホース３０を差し込み、給水配管に接続したときは、本発明の実施の形態１と同様であるので、詳細説明は省略する。
【０００７】
【発明の効果】
本発明によれば、円筒部の長さを短く形成でき、また、フランジ部は、従来のように、ホース受け止めの厚みを必要とせず、つぎてナット内周の内突起の抜け止めとするため、外径を小さくでき、切削時間と切削材料を節減できることとなった。
また、本発明によれば、円筒部につぎてナットを遊嵌したのち、ホース受け止めのため、及び、つぎてナット抜け止めのための同一の割りリングを嵌入するだけで、組立が簡単にできることとなった。
さらに、また、給水配管に接続する際には、端部のフランジ部及びパッキンを介して、給水配管に強固に螺合できると共に、パッキンの安定した締め付けにより、水洩れが完全防止できることとなった。
【図面の簡単な説明】
【図１】本発明の実施の形態を示す断面図である。
【図２】本発明の別の実施の形態を示す断面図である。
【図３】ホース受け止め又はつぎてナット抜け止めの割りリングの斜視図である。
【図４】従来例を示す断面図である。
【符号の説明】
１１、１１Ｂ    ホース差込部
１３、１３Ｂ    円筒部
１３１、１３１Ｂ、１９１Ｂ        円周溝
１４、１４Ｂ    つぎてナット
１６、１６Ｂ    パッキン
１７、１７Ｂ    フランジ部
１８、１８Ｂ    ホース受け止めのための割りリング
１９Ｂ          曲げ部
２０Ｂ          つぎてナット抜け止めのための割りリング
３０            ホース
【図１】
2004360743.tif 000003
【図２】
2004360743.tif 000004
【図３】
2004360743.tif 000005
【図４】
2004360743.tif 000006